【事件の表示】
　平成　７年特許願第３３２４４８号「平均値を指示するブルドン管式圧力計」拒絶査定に対する審判事件［平成　９年　５月２７日出願公開、特開平　９−１３８１７１］について、次のとおり審決する。
【結　論】
　本件審判の請求は、成り立たない。
【理　由】
【１】手続の経緯・本願発明
  本願は、平成７年１１月１４日の出願であって、その請求項１に係る発明は、明細書及び図面の記載からみて、その特許請求の範囲に記載された次のとおりのものである。
【請求項１】
　清浄な液体を満たした封液室とブルドン管式圧力計を接続する通路に微少な孔径（０、０１〜０、４ｍｍΦ）の圧力伝達を遅らせる固定の絞りを設けることにより、短い周期で急激に変動する圧力に対し、圧力を受圧するダイアフラムからブルドン管式圧力計に圧力が伝わる時間に時限をもたせ、圧力伝達を遅らせる絞りの効果により、平均値を指示させるブルドン管式圧力計（以下、「本願発明」という。）。
【２】引用例
  原査定の拒絶の理由に引用された 実願昭６１ー１３７０８６号（実開昭６３ー４４１３２号）のマイクロフィルム（以下、「引用例」という）には下記の記載がある。
「従来の圧力計や圧力スイッチのような圧力感知器は、圧力感知対象の流体が直接作動部に働くので、感知対象流体の圧力変化が急激かつ頻繁な場合、それによって生じるサージ圧、ハンマノックなどが圧力感知器に直接働いて作動部を破損させる場合がある。」（２頁６行〜１１行）、
「圧力を受けた作動用流体はオリフィスを通過してブルドン管などに圧力を加え、圧力計の指針などを動かすが、前記の感知対象流体の圧力上昇が急激な場合でもオリフィスにより抵抗を受けて流動する作動流体による圧力上昇は緩やかになって圧力感知器の破損を防止する。」（３頁９行〜同１４行）
「第１図、第２図に示す第１の実施例において、１は感知対象流体が通るパイプ、タンクなどの側壁、２はその一部に設けた感知口である。…。３は円筒状のハウジングで、…。ハウジング３内は下端の細い連通孔５を介して感知対象流体に通じている。…。このトップインサート６の下端中央の突部１１に合成ゴムなどからなる有底筒状の隔膜１２の上端開口をはめ、同隔膜１２の上端外周の外向縁１４をハウジング３の上部内周の受部とトップインサート６の外周下端面で挟んで固定する。
　前記トップインサート６の下端部の中心に連通孔１７を設け、この連通孔１７の上部は若干大径の縦孔１８となって前記大径の雌ネジ８の下端に通じている。
　１９はトップインサート６の縦孔１８に設けた雌ネジに上半部外周の雄ネジをねじ込んだ流量調整部材で、その下端から中程までに雌ネジ２１を設け、この雌ネジ２１の上端はネジのないオリフィス支持部２２とし、それより上は小径の縦孔２３として部材１９の上端に開口させる。
　２５はオリフィス部材で、その中央に小径の孔からなるオリフィス２６が設けてある。このオリフィス部材２５は第２図のように流量調整部材１９のオリフィス支持部２２にはめ、その下部に金網などからなる円板状フィルタ２７を重ねる。…。また、オリフィス部材２５は径の異なるオリフィス２６を有するものを複数用意しておいて交換できるようにし、隔膜１２の内側からトップインサート６内を経て圧力計のブルドン管などに至る空間には所定の粘性を有する作動用流体、例えば各種のオイルまたはグリセリンなどの液状媒体を気泡を残さないように充填する。」（３頁１６行〜５頁２０行）
「上記作動用流体の種類および粘度の選定あるいはオリフィスの径の選定は、圧力計測、感知対象の流体の物理特性、化学特性及び脈動、サージ圧、ハンマーノックの程度に対する適性を考慮して選ぶ。
　上記の実施例において、感知対象流体の圧力が上昇し、この流体が連通孔５からハウジング３内に流入し、その内部の有底筒状の隔膜１２の外側に圧力を加える。
　このため、隔膜１２内の作動用流体が押し出されてトップインサート６の連通孔１７→固定用ネジ筒２８→オリフィス２６→縦孔２３→と流れてトップインサート６に接続した圧力計９を作動させる。」（７頁９行〜８頁２行）
「第３図に示す実施例の場合、ダイヤフラム状の隔膜３１を用いている。この場合、ハウジング３２は皿状となり、その底部中央から下方に突出した雄ネジを感知口２の雌ネジにねじ込むことによりハウジング３２を固定してあり、連通孔５により側壁１内とハウジング３２内が連通している。
　３４はハウジング３２上に固定するトップインサートで、このインサート３４の下部にはハウジング３２に被さる蓋３５が一体に形成してある。」（８頁６行〜同１４行）
「また、作動用流体に粘性の大きいものを用い、この作動用流体が圧力感知器へ流動する途中にオリフィスを設けて流動抵抗を与えるようにしたから感知対象流体の圧力上昇が急激な場合でも、この圧力上昇速度が適度に抑えられて圧力感知器に伝えられるので感知対象流体に発生した急激な圧力変化や脈動、サージ圧、ハンマーノックが圧力感知器に直撃してこれを破損させるようなおそれが全くなくなるものである。」（１０頁１２行〜同２０行）
　そして、前記「感知対象流体の圧力上昇が急激かつ頻繁な場合でもオリフィスにより抵抗を受けて流動する作動流体による圧力上昇は緩やかになって圧力感知器の破損を防止する。」（３頁１１行〜同１４行）及び「オリフィスの径の選定は、・・・脈動・・・に対する適性を考慮して選ぶ。」（７頁１０行〜１３行）の記載からみて、引用例における圧力計のオリフィス２６は、急激かつ頻繁な圧力変化に対し、圧力を受圧するダイヤフラム状の隔膜３１からブルドン管式圧力計９に伝わる圧力上昇速度を抑える絞りの効果を備えていることは明らかである。
　以上の記載を図面を参酌しつつ勘案すると、引用例には次の発明が記載されていることになる。
　作動用液体を満たした蓋３５とダイヤフラム状の隔膜３１とで囲まれた室とブルドン管式圧力計９を接続する連通孔１７、固定用ネジ筒２８、縦孔２３からなる通路に小径の孔からなるオリフィス２６を設けることにより、急激かつ頻繁な圧力変化に対し、圧力を受圧するダイヤフラム状の隔膜３１からブルドン管式圧力計９に伝わる圧力上昇速度を抑える絞りの効果を備えるようにしたブルドン管式圧力計（以下、「引用例に記載された発明」という。）。
【３】対比
  そこで、本願発明と引用例に記載された発明とを対比する。
　引用例に記載された発明における「圧力を受圧するダイヤフラム状の隔膜３１からブルドン管式圧力計９に伝わる圧力上昇速度を抑える絞りの効果」とは、一定時間内にダイヤフラム状の隔膜３１からブルドン管式圧力計９に伝わる圧力が抑えられることを意味し、このことは、言い換えれば、ダイヤフラム状の隔膜３１からブルドン管式圧力計９に所定の圧力が伝わるまでの時間が長くなり、圧力伝達を遅らせることと同義である。
　以上のことを考慮すると、引用例に記載された
「作動用液体」、「蓋３５とダイヤフラム状の隔膜３１とで囲まれた室」、「ブルドン管式圧力計９」、「連通孔１７、固定用ネジ筒２８、縦孔２３からなる通路」、「急激かつ頻繁な圧力変化」、「ダイヤフラム状の隔膜３１」、「圧力上昇速度を抑える」がそれぞれ本願発明の
「液体」、「封液室」、「ブルドン管式圧力計」、「通路」、「短い周期で急激に変動する圧力」、「ダイアフラム」、「圧力が伝わる時間に時限をもたせ、圧力伝達を遅らせる」に相当し、本願発明における「微少な孔径の圧力伝達を遅らせる固定の絞り」も引用例に記載された発明における「小径の孔からなるオリフィス２６」も共に「小径の孔からなる開孔」であるから、両者は、
　　液体を満たした封液室とブルドン管式圧力計を接続する通路に小径の孔からなる開孔を設けることにより、短い周期で急激に変動する圧力に対し、圧力を受圧するダイアフラムからブルドン管式圧力計に圧力が伝わる時間に時限をもたせ、圧力伝達を遅らせる絞りの効果を備えるようにしたブルドン管式圧力計、で一致し、下記の点で相違する。
  相違点１
　封液室に満たされた液体が、本願発明では清浄なものであるのに対し、引用例に記載された発明では清浄であるとの記載がない点。
  相違点２
　小径の孔からなる開孔が、本願発明のものでは微少な孔径（０、０１〜０、４ｍｍФ）であるのに対し、引用例に記載された発明では小径の孔からなるオリフィスであり、その小径の孔径については特に記載されていない点。
　相違点３
  本願発明のブルドン管式圧力計では、小径の孔からなる開孔は「絞り」であり、かつ、該絞りが圧力計に対し平均値を指示させるのに対し、引用例に記載された圧力計では、小径の孔からなる開孔はオリフィスであり、該オリフィスが圧力計に対し平均値を指示するように作用するか否か、記載されていない点。
【４】当審の判断
　相違点１について
　本願発明の詳細な説明の欄にも清浄な液体と記載されているだけで、その清浄な液体の種類について何ら記載されていないが、引用例の作動用液体もダイアフラム状の隔膜により封液し、汚染物質が入り込まないようになっているものと認められ、作動用液体としてブルドン管自体が汚れないような清浄な液体を用いることは当業者が当然に考慮する程度のことである。
　相違点２について
　微少な孔径について（）書きで（０、０１〜０、４ｍｍФ）と記載されている点については、微少な孔径を具体的に例示したものと解されるが、その数値限定及びその根拠は明細書の発明の詳細な説明及び図面には記載されていない。
  しかし、「微少な孔径」については本願明細書に下記の記載がある
「圧力による封入液（３）の圧力伝達の流れは、流れを制限する微少孔（５）で制限され、圧力伝達の流れは時間をかけて移動するため、ダイアフラム（２）で受けた圧力は、時間をかけてブルドン管式圧力計（６）に移動し、ダイアフラム膜（２）とブルドン管式圧力計（６）の動きは急激な圧力変化に比例変化しない時限を持つ緩やかなものとなる。」（明細書段落番号【０００４】）
　前記記載によれば、微少孔により圧力伝達の流れを制限し、圧力の伝達は時間をかけて移動するため圧力計の動きは急激な圧力変化に比例変化しない時限を持つ緩やかなものとなると解される。
　よって、微少な孔径について、（０、０１〜０、４ｍｍФ）との例示は、「圧力伝達の流れを制限し、圧力伝達の流れは時間をかけて移動するため圧力計の動きは急激な圧力変化に比例変化しない時限を持つ緩やかなものとなる」との機能を実現するために定められた孔径の数値範囲であると解釈できる。
　そこで検討するに、引用例には下記の記載がある。
「圧力が受けた作動用流体はオリフィスを通過してブルドン管などに圧力を加え、圧力計の指針などを動かすが、前記の感知対象流体の圧力上昇が急激な場合でもオリフィスにより抵抗を受けて流動する作動流体による圧力上昇は緩やかになって圧力感知器の破損を防止する。」（３頁９行〜同１４行）
「上記作動用流体の種類および粘度の選定あるいはオリフィスの径の選定は、圧力計測、感知対象の流体の物理特性、化学特性及び脈動、サージ圧、ハンマーノックの程度に対する適性を考慮して選ぶ。」（７頁９行〜同１３行）
「また、作動用流体に粘性の大きいものを用い、この作動用流体が圧力感知器へ流動する途中にオリフィスを設けて流動抵抗を与えるようにしたから感知対象流体の圧力上昇が急激な場合でも、この圧力上昇速度が適度に抑えられて圧力感知器に伝えられるので感知対象流体に発生した急激な圧力変化や脈動、サージ圧、ハンマーノックが圧力感知器に直撃してこれを破損させるようなおそれが全くなくなるものである。」（１０頁１２行〜同２０行）
　前記引用例の記載からみて、引用例の小径の孔からなるオリフィスは、流動抵抗を与えて圧力上昇速度を適度に抑え、感知対象液体に発生した急激かつ頻繁な圧力変化を抑えるものである。
　してみると、引用例における小径の孔からなるオリフィスは、その機能において、本願発明における微少な孔径の数値範囲の限定によって実現される「圧力伝達の流れを制限し、圧力の伝達は時間をかけて移動するため圧力計の動きは急激な圧力変化に比例変化しない時限を持つ緩やかなものとなる」機能と実質的な差異はない。
　そして、オリフィスの孔径をどの程度にするかは、引用例に「オリフィスの径の選定は、圧力計測、感知対象の流体の物理特性、化学特性及び脈動、サージ圧、ハンマーノックの程度に対する適性を考慮して選ぶ。」と記載されているように、種々の条件を考慮して適宜決められることであるから、オリフィスの孔径を、本願発明で言うところの「微少な孔径（０、０１〜０、４ｍｍФ）」とすることは前記機能を実現する上で当業者が適宜設計できる程度のことにすぎない。
　相違点３について
　　平均値を指示させる点についてみるに、引用例の小径の孔からなるオリフィスはその小径の絞りによって、流動抵抗を与えて圧力上昇速度を適度に抑え、感知対象液体に発生した急激かつ頻繁な圧力変化を抑えるものであるから、その結果として指示する値は平均化するものである。
　このことは、計量管理技術双書(9)計量管理協会編「圧力」榎本進一著、コロナ社、昭和３７年６月１０日発行、第５４頁２８行〜第５５頁７行に「脈圧（時間とともに変化する圧力）をその瞬間ごとに測定する方法もあるが、脈圧のため液面または指針が動いて視定が困難なことがある。・・・このため脈圧を第５５図のような脈動圧力減衰器によって平静にすることがある。」と記載されると共に第５５図に「絞り」が記載され、絞りによって脈圧を平静化、すなわち、圧力変動を平均化することが周知であることからみても裏付けられる。そして、圧力変動が平均化されれば、圧力計の圧力指示値は平均化された圧力値、すなわち平均値を指示することになるのは、当然である。
　よって、平均値を指示させるようにした点についても格別の困難性はない。
　そして、本願発明の奏する効果は、前記引用例及び前記周知技術から当業者が予測しうる程度のものにすぎない。
【５】結び
  したがって、本願発明は、引用例に記載された発明及び前記周知技術に基いて、当業者が容易に発明をすることができたものと認められるから、特許法第２９条第２項の規定により特許を受けることができない。
  よって、結論のとおり審決する。